(57)【要約】【課題】内部に任意の文字や画像をレーザ加工により形成して、商品の識別性等を明確にする透明又は半透明の内部描画像を有する軟固質体及びその製造方法を提供する。【解決手段】軟固質体６の内部にはレーザ装置５からの特殊のレーザ光が照射され、内部画像が形成される。レーザ装置やそのレーザ光や照射時間の工夫により、軟固質体にも内部描画をすることができる。【選択図】図３
2005119004.tif 000002
【特許請求の範囲】
【請求項１】
レーザ加工により内部に任意の文字や画像（３次元を含む）を描画してなる部材であって、該部材が、透明又は半透明の軟体又は固体のものからなることを特徴とする内部描画像を有する軟固質体。
【請求項２】
前記軟体が、食品又は消耗体からなることを特徴とする請求項１に記載の内部描画像を有する軟固質体。
【請求項３】
前記内部に描画される文字や画像が色彩を有するものからなることを特徴とする請求項１又は２に記載の内部描画像を有する軟固質体。
【請求項４】
前記請求項１乃至３に記載の内部描画像を有する軟固質体の製造方法であって、該製造方法は、ＹＡＧ，ＹＶＯ4，フェムト秒のレーザ光をガルバノミラーを介して前記軟固質体に照射して形成することを特徴とする内部描画像を有する軟固質体の製造方法。
【請求項５】
前記請求項１乃至３に記載の内部描画像を有する軟固質体の製造方法であって、該製造方法は、ＹＡＧ，ＹＶＯ4，フェムト秒のレーザ光又は軟固質体をＸＹＺ方向に移動させて内部描画を行うことを特徴とする内部描画像を有する軟固質体の製造方法。
【請求項６】
前記軟固質体が表面の粗い氷である場合において、予めその表面に水を噴射して行うことを特徴とする請求項４又は５に記載の内部描画像を有する軟固質体の製造方法。
【請求項７】
前記軟固質体が表面の粗い氷である場合において、予めその表面を研磨加工により平滑にして行うことを特徴とする請求項４又は５に記載の内部描画像を有する軟固質体の製造方法。
【発明の詳細な説明】
【技術分野】
【０００１】
本発明は、レーザ加工により内部に任意の文字や３次元画像を含む画像を描画してなる透明又は半透明の軟固質体及びその製造方法に関する。
【背景技術】
【０００２】
ガラス体や樹脂体の内部にレーザにより画像を形成する公知技術はある。例えば、「特許文献１」及び「特許文献２」が挙げられる。これ等は主として装飾体や表示体として通常利用されている。
【特許文献１】登録実用新案第３０９５６５０号（図１）
【特許文献２】特開２００２−３６８００号（図１）
【発明の開示】
【発明が解決しようとする課題】
【０００３】
「特許文献１」の登録実用新案第３０９５６５０号は、ガラス体の内部に画像を描画するものであり、装飾品として利用されるものである。また、この他にガラス体の中にレーザ加工により任意の画像を描画したものが各種のものがあるが、大部分のものの用途は装飾体である。一方、特開２００２−３６８００号はアクリル樹脂の内部に画像を描画したものである。ガラス体にレーザ加工により内部描画像を形成する技術はかなり公知のものであるが、アクリル樹脂等の樹脂体に内部描画する技術は今の所特殊のものであり、余り知られていないが、この技術も公知のものである。このものは装飾体というより広告，宣伝用の表示体や看板等に利用されている。
【０００４】
物体の内部に文字や画像を描画したものは、物体の表面に文字や画像を表示したものと異なり、汚れもなく、損傷もなく、長期間使用される特徴を有する。また、外部より消すこともできない。然しながら、従来のものは前記のようにガラスやアクリル樹脂のように固形体に限定され、軟質のものや、食用される軟質部材には適用されるものは皆無である。また、食用でなくても消耗する固質体に形成されているものも皆無である。もし、軟質の食品や消耗体の内部に任意の文字や画像が形成されたものがあれば、その製品の識別や区別が可能になると共に興味をそそるものとなり、拡販性を有するものとなる可能性が高い。また、前記の従来品の内、アクリル樹脂に内部描画した製品は、この画像をＬＥＤ等の光源に照射して、画像の美観と表示性の向上を図るものであるが、軟質のものや、食用品や消耗品に内部画像した部材は、長期間使用して観賞するものでなく、一時的の美観や興味感を有する機能は有するが、他製品との識別性について大きな特徴を有するものである。勿論、このものには光源は必要ではない。
【０００５】
本発明は、以上の事情に鑑みて発明されたものであり、軟質体や消耗固質体の内部に任意の文字や画像を形成することにより主に識別性を可能とし、更に、食品の場合には賞味期限等も同時表示ができ、デザイン等を工夫することにより宣伝効果も生じ、製品拡販を可能とする内部描画像を有する軟固質体及びその製造方法を提供することを目的とする。
【課題を解決するための手段】
【０００６】
本発明は、以上の目的を達成するために、請求項１の発明は、レーザ加工により内部に任意の文字や画像（３次元を含む）を描画してなる部材であって、該部材が、透明又は半透明の軟体又は固体のものからなることを特徴とする。
【０００７】
また、請求項２の発明は、前記軟体が、食品又は消耗体からなることを特徴とする。
【０００８】
また、請求項３の発明は、前記内部に描画される文字や画像が色彩を有するものからなることを特徴とする。
【０００９】
また、請求項４の発明は、前記請求項１乃至３に記載の内部描画像を有する軟固質体の製造方法であって、該製造方法は、ＹＡＧ，ＹＶＯ4，フェムト秒のレーザ光をガルバノミラーを介して前記軟固質体に照射して形成することを特徴とする。
【００１０】
また、請求項５の発明は、前記請求項１乃至３に記載の内部描画像を有する軟固質体の製造方法であって、該製造方法は、ＹＡＧ，ＹＶＯ4，フェムト秒のレーザ光又は軟固質体をＸＹＺ方向に移動させて内部描画を行うことを特徴とする。
【００１１】
また、請求項６の発明は、前記軟固質体が表面の粗い氷である場合において、予めその表面に水を噴射して行うことを特徴とする。
【００１２】
また、請求項７の発明は、前記軟固質体が表面の粗い氷である場合において、予めその表面を研磨加工により平滑にして行うことを特徴とする。
【発明の効果】
【００１３】
本発明によれば、従来品と異なり、軟質体の内部描画像を形成するため、食品に対しても適用され、極めて広範囲の製品に利用される。特に、美観のある画像の形成や販売上必要の各種の注意事項も内部に画像でき、使用者に安らぎと安心感や楽しみを与えることができる。また、識別性を有し、商品の拡販に器用する。
【００１４】
また、請求項２の発明によれば、消耗体に適用することにより、消耗体が消耗するまで、表示が消えることがなく、新品の場合のみならず、その商品の最後までそのものの出所表示や注意事項等を確認することができる。これにより、安全性の向上も図れる。
【００１５】
また、請求項３の発明によれば、色彩画像を形成することができ、一層の美観の向上が図れる。
【００１６】
また、請求項４及び５の発明によれば、軟固質体の内部に任意の所望の文字や画像を正確に形成することができる。
【００１７】
また、請求項６及び７の発明によれば、水の噴射や研磨加工により軟固質体の表面を平滑にすることができ、氷内の内部描画が確実に行われる。
【発明を実施するための最良の形態】
【００１８】
以下、本発明の内部描画像を有する軟固質体の実施の形態を図面を参照して詳述する。図１は軟質体、例えば、寒天のようなものの内部に、メーカ名、製造年月日、賞味期間や成分等の表示２を描画したものを示す。勿論、軟質体は寒天に限らず、透明又は半透明の任意の部材、例えば、羊かん、ゼリー等にも適用される。また、内部描画される文字等は前記のものに限定するものではなく、その商品に必要な任意のものが適用される。なお、従来品はその包装用紙等に表示するものしかなかった。このため、その分コスト高となり、包装用紙等の後始末に問題があり、公害発生の基ともなっていた。
【００１９】
図２は小形のゼリー３等の内部にカラーをつけた立体像４を描画した商品を示す。この立体像４を評判のキャラクタ等にすることにより消費者特に、子供の興味を引き、商品の拡販性の向上が図れる。
【００２０】
また、図示していないが、消耗固質体として石鹸等も本発明の対象品となる。従来の石鹸は表面表示はあるが、内部描画はなく、途中で表示がなくなってしまうが、本発明品はこのような不具合は生じない。なお、本発明品としては前記のものに限らず、軟固質体で透明又は半透明のものであればすべての物に適用可能であり、広範囲の物体に適用される。
【００２１】
図３，図４は、本発明品のレーザによる加工方法の概要を示すものである。この加工方法はノウハウ的のもので開示できないが、概ね次の構成からできる。即ち、特別の波長や特性を有するレーザ装置５（ＹＡＧレーザやＹＶＯ4レーザやフェムト秒レーザ等）と、これを軟固質体６に集中照射するためのミラー７やガルバノミラー８等からなる。また、ガルバノミラー８を用いない場合は、軟固質体６はＸＹＺテーブル９上に搭載して行う。レーザ光を集光し、短時間照射することにより、内部描画を行うことができ、この技術は実証済である。
【産業上の利用可能性】
【００２２】
本発明の透明又は半透明の軟固質体のすべてに適用され、特に、食品や消耗品に対して適用されその産業上の利用分野は極めて広い。また、流通性を工夫することにより本発明品を遠隔地や海外にも輸送可能であり、大きな市場性を有する。
【図面の簡単な説明】
【００２３】
【図１】本発明に係る内部描画像を有する寒天を示す模式的斜視図。
【図２】本発明に係るカラーの内部描画像を有するゼリーを示す模式的斜視図。
【図３】本発明品を製造方法の概要を示す模式的構成図。
【図４】本発明品を製造方法の概要を示す模式的構成図。
【符号の説明】
【００２４】
１  寒天
２  表示
３  ゼリー
４  立体像
５  レーザ装置
６  軟固質体
７  ミラー
８  ガルバノミラー
９  ＸＹＺテーブル
【図１】
2005119004.tif 000003
【図２】
2005119004.tif 000004
【図３】
2005119004.tif 000005
【図４】
2005119004.tif 000006